(57)【要約】【課題】  陸屋根やバルコニー、又は庇の床面５と屋内の床面との間に高低差が少ない場合でも設置することができ、しかも既存の施設にもきわめて簡単に設置することができ、雨水枡９が冠水した場合にも排水することができるオーバーフロー構造１を提供する。【解決手段】  オーバーフロー構造１は、建築物の陸屋根、バルコニー、又は庇から水を流下させる縦樋８に設けられたオーバーフロー構造１であって、前記縦樋８の少なくとも前記屋上又は前記バルコニーの最も低い位置よりも低く、且つ、予想冠水水位よりも高い位置に、前記縦樋８の外部に水を排出する枝管１５ａが設けられた。【選択図】図６
2011089321.tif 000002
【特許請求の範囲】
【請求項１】
建築物の陸屋根、バルコニー、又は庇の上面に設けられたドレイン口が受け入れた水を流下させる縦樋に設けられた縦樋のオーバーフロー構造であって、
前記縦樋の少なくとも前記陸屋根、前記バルコニー、又は前記庇の上面の最も低い位置よりも低く、且つ、予想冠水水位よりも高い位置に、前記縦樋の外部に水を排出するオーバーフロー部が設けられたことを特徴とする縦樋のオーバーフロー構造。
【請求項２】
前記オーバーフロー部は、前記縦樋の側面に開口したオーバーフロー口であることを特徴とする請求項１に記載の縦樋のオーバーフロー構造。
【請求項３】
前記オーバーフロー部は、一端が前記縦樋内部に連通するとともに、他端が上方に向かって開口する枝管であることを特徴とする請求項１に記載の縦樋のオーバーフロー構造。
【請求項４】
前記縦樋は、その上端が前記陸屋根、前記バルコニー、又は前記庇から流れる水を受け入れる導入口よりも上方に突出して開口するオーバーフロー部を形成しており、
該オーバーフロー部には、前記縦樋内に異物が侵入することを防ぐ網部を備えることを特徴とする請求項１に記載の縦樋のオーバーフロー構造。
【発明の詳細な説明】
【技術分野】
【０００１】
この発明は、建築物の陸屋根、バルコニー、又は庇から水を流下させる縦樋に設けられた縦樋のオーバーフロー構造に関する。
【背景技術】
【０００２】
従来より雨水などの水を陸屋根、バルコニー又は庇から排出するために、陸屋根、バルコニー、又は庇をやや傾斜させてその床の最も低い位置にドレイン受入口を設けるとともに、このドレイン受入口から敷地内に設けられた雨水枡まで縦樋を配設して、水をこの雨水枡に導水している。
【０００３】
このような排水構造において、更に、ドレイン受入口等に異物が詰まって水が排出できなくなった場合に備えて、オーバーフロー装置を設置している場合も多い。特に近年では、所謂ゲリラ豪雨のように極めて降水量の多い場合に、雨水枡が冠水するような場合には、縦樋の排水能力が極端に低下し、陸屋根、バルコニー、又は庇に溜まった水を受け入れられない場合が想定されるので、オーバーフロー装置は重要になってきている。
【０００４】
このオーバーフロー装置としては、例えば、特許文献１に示すように、バルコニーなどの床面よりも上でパラペットを貫通するようにオーバーフロー孔を形成してオーバーフローパイプを接続したものや、特許文献２に示すように、バルコニーの床板の樋部の一端部に集水枡を設けて、この集水枡をバルコニーの手摺り部から突出させ、その集水枡の下側に縦樋を設けるとともに、集水枡の側面にオーバーフロー孔が形成されたものが挙げられる。
【０００５】
このようなオーバーフロー装置を備えることで、ドレイン受入口等に異物が詰まったような場合でも、屋上やバルコニーにオーバーフロー装置よりも高い水位まで水が貯まることがなく、サッシから屋内に水が漏水する虞がない。
【先行技術文献】
【特許文献】
【０００６】
【特許文献１】特開２００１−２７９８０６号公報
【特許文献２】特開２０００−２８２６３４号公報
【発明の概要】
【発明が解決しようとする課題】
【０００７】
しかし、特許文献１及び特許文献２に記載されたようなオーバーフロー装置は、いずれもバルコニーの床面よりも高い位置にオーバーフロー孔を設ける必要があるため、例えばフルフラットバルコニーのように陸屋根、バルコニー、又は庇の上面と屋内の床面との間に高低差が少ない場合には、設置をすることが困難な場合も多い。また、パラペットを貫通することになるので、既に設置された陸屋根、バルコニー、又は庇においては、追加して設置することが容易ではない。
【０００８】
そこで、本発明は陸屋根、バルコニー、又は庇の上面と屋内の床面との間に高低差が少ない場合でも設置することができ、しかも既存の施設にもきわめて簡単に設置することができ、雨水枡が冠水した場合にも排水することができる縦樋のオーバーフロー構造を提供することを目的とする。
【課題を解決するための手段】
【０００９】
請求項１に記載の縦樋のオーバーフロー構造は、建築物の陸屋根、バルコニー、又は庇の上面に設けられたドレイン口が受け入れた水を流下させる縦樋に設けられた縦樋のオーバーフロー構造であって、前記縦樋の少なくとも前記陸屋根、前記バルコニー、又は前記庇の上面の最も低い位置よりも低く、且つ、予想冠水水位よりも高い位置に、前記縦樋の外部に水を排出するオーバーフロー部が設けられたことを特徴としている。
【００１０】
なおここで「予想冠水水位」とは、地形や地域の排水設備、過去の降水量等から想定される豪雨が降った場合に冠水する可能性が高い水位であり、予め任意に設定することができる。
【００１１】
請求項２に記載の縦樋のオーバーフロー構造は、前記オーバーフロー部は、前記縦樋の側面に開口したオーバーフロー口であることを特徴としている。
【００１２】
請求項３に記載の縦樋のオーバーフロー構造は、前記オーバーフロー部は、一端が前記縦樋内部に連通するとともに、他端が上方に向かって開口する枝管であることを特徴としている。
【００１３】
請求項４に記載の縦樋のオーバーフロー構造は、前記縦樋は、その上端が前記陸屋根、前記バルコニー、又は前記庇から流れる水を受け入れる導入口よりも上方に突出して開口するオーバーフロー部を形成しており、該オーバーフロー部には、前記縦樋内に異物が侵入することを防ぐ網部を備えることを特徴としている。
【発明の効果】
【００１４】
請求項１に記載の縦樋のオーバーフロー構造によると、縦樋の少なくとも陸屋根、バルコニー、又は庇の上面の最も低い位置よりも低い位置にオーバーフロー部が設けられるので、縦樋が連通する雨水枡が冠水した場合のように、縦樋の排水能力が低下した場合にも、オーバーフロー部から水を排水することで、陸屋根、バルコニー、又は庇に水が溜まることを防ぐことができ、サッシを通って、屋内に水が浸入することを防止できる。また、このオーバーフロー部は予想冠水水位よりも高い位置に設けられているので、激しい降雨で所定水位まで冠水したとしても、水を排水し続けることができる。さらにこの縦樋のオーバーフロー構造によると、既存の施設においても単に縦樋の中間部にオーバーフロー部を設けるだけでよく、パラペットを貫通する必要もないので極めて簡単に設置することができる。
【００１５】
請求項２に記載の縦樋のオーバーフロー構造によると、縦樋の側面にオーバーフロー口を開口させるだけで、形成することができるので、例えば既に建てられている建築物にもきわめて簡単に設置することができる。
【００１６】
請求項３に記載の縦樋のオーバーフロー構造によると、オーバーフロー部が、一端が縦樋内部に連通するとともに、他端が上方に向かって開口する枝管であるので、平常時は水が縦樋を流下し外部に溢れ出ることが抑制できるとともに、雨水枡が冠水するなどで縦樋の排水能力が低下した場合には、この水が枝管から外部に排出されるので屋上やバルコニーに水が溜まることを防ぐことができ、サッシを通って、屋内に水が浸入することを防止できる。
【００１７】
請求項４に記載の縦樋のオーバーフロー構造によると、縦樋の上端が陸屋根、バルコニー、又は庇から流れる水を受け入れる導入口よりも上方に突出して開口しており、このオーバーフロー部には、縦樋内に異物が侵入することを防ぐ網部を備えているので、極めて簡単な構成で縦樋のオーバーフロー構造とすることができ、しかも異物の混入は防ぐことができる。
【図面の簡単な説明】
【００１８】
【図１】第１の実施形態の縦樋のオーバーフロー構造を示す簡略断面図及びその一部拡大図。
【図２】雨水枡が冠水した場合の第１の実施形態の縦樋のオーバーフロー構造の作用を説明する簡略断面図及びその一部拡大図。
【図３】第２の実施形態の縦樋のオーバーフロー構造を示す簡略断面図。
【図４】第２の実施形態の縦樋のオーバーフロー構造の合わせ枡を説明する斜視図。
【図５】第２の実施形態の縦樋のオーバーフロー構造を説明する斜視図。
【図６】雨水枡が冠水した場合の第２の実施形態の縦樋のオーバーフロー構造の作用を説明する簡略断面図。
【図７】第２の実施形態の縦樋のオーバーフロー構造の他の実施形態を示す簡略断面図。
【図８】図７のｃ部分拡大図。
【図９】第３の実施形態の縦樋のオーバーフロー構造を示す簡略断面図。
【図１０】図９のｄ部分拡大図。
【図１１】雨水枡が冠水した場合の第３の実施形態の縦樋のオーバーフロー構造の作用を説明する簡略断面図。
【発明を実施するための形態】
【００１９】
〔第１の実施形態〕
以下、この発明における縦樋のオーバーフロー構造１の第１の実施形態について、図１及び図２を参照しつつ説明する。この実施形態に係る縦樋のオーバーフロー構造１は、例えば住宅等の建築物１１のルーフバルコニー２に設けられた排水ドレイン装置３に設置される。なお、排水ドレイン装置３は例えば陸屋根などの屋根に設けられるものであってもよく、また庇に設けられるものであっても良い。図１（Ａ）に示すように、このルーフバルコニー２は、スムーズに排水を行うために、床面５がやや傾斜して設けられており、床面５の最も低い部分に排水を受け入れるドレイン口４を設けれている。なお、図示しないが、ドレイン口４には落ち葉やゴミなどの異物を漉し取るストレーナを設けている。そしてこのドレイン口４から下方に向けて排水を流下させるドレイン管６が連通しており、このドレイン管６は湾曲部７を介して屋外に突き出すように形成されている。そして、屋外に突き出したドレイン管６は、さらに鉛直方向に延びる縦樋８に連通している。
【００２０】
縦樋８は、上端がドレイン管６に連通するとともに、下端が地中に埋まって雨水枡９に連通する樹脂製筒状の雨樋であり、内部に雨水等の水を流下させるものである。なお、この縦樋８は例えば円柱状の丸樋であってもよいし、略矩形柱状の角樋であってもよい。そしてこの縦樋８の少なくともルーフバルコニー２の床面５の最も低い位置よりも低く、且つ、集中豪雨などにより冠水した場合に冠水する可能性が高い予想冠水水位よりも高い位置に、図１（Ｂ）に示すように、縦樋８内部を流れる水を外部に排出することができるオーバーフロー口１０が設けられている。オーバーフロー口１０は、例えば、縦樋８の内径とほぼ同じ大きさに形成することができるが、これに限定されるものではなく、複数のより小さな開口としてもよい。
【００２１】
縦樋８はほぼ鉛直方向に延びて形成されているので、側面の一部が開口してオーバーフロー口１０を形成したとしても、平常時は縦樋８内を流下する水が外部に漏れることは殆どない。なお、オーバーフロー口１０は、縦樋８の建築物１１側の側面に形成することで、建築物１１の外壁１２に規制され、縦樋８内を流下する水の飛沫が、若干ながら外部に漏れ出た場合でも不用意に飛び散ることを抑制することができるものであるが、飛沫が飛び散る場所が濡れても問題ない場合は、オーバーフロー口１０の位置を例えば屋外側に向けて開口してもよい。
【００２２】
そして、例えば集中豪雨などにより縦樋８が連通する雨水枡９が冠水し、縦樋８から雨水枡９への排水が困難となった場合には、図２に示すように、縦樋８内の水位が上昇し、オーバーフロー口１０の高さに達する。そして、オーバーフロー口１０の水位を超える水は、オーバーフロー口１０を通って外部に溢れ出る。したがって、縦樋８内に貯留する水の水位はオーバーフロー口１０よりも高くなることはないので、バルコニー２に水が溜まることを防ぐことができ、バルコニー２から図示しないサッシを通って屋内に水が浸入することを防止できる。
【００２３】
〔第２の実施形態〕
次に、この発明における縦樋のオーバーフロー構造１の第２の実施形態について、図３から図８を参照しつつ説明する。なお、第１の実施形態と同様の構成については、同一の符号を付して説明を省略する。この実施形態の縦樋８は、上樋８１と下樋８２とに上下に分離できる構成であって、上樋８１と下樋８２とを合わせ枡１３により連結している。この合わせ枡１３は、図３に示すように、第１の実施形態のオーバーフロー口１０と同様に、少なくともルーフバルコニー２の床面５の最も低い位置よりも低く、且つ、集中豪雨などにより冠水した場合に冠水する可能性が高い予想冠水水位よりも高い位置に配設されている。
【００２４】
合わせ枡１３は、図４に示すように、鉛直方向に延びる鉛直管１４と、この鉛直管１４の側面から突き出して上向きに折り曲げられて開口した枝管１５ａと、により構成されている。そして、縦樋のオーバーフロー構造１を構成するときには、図５に示すように、上樋８１は鉛直管１４の上端に連通され、下樋８２は鉛直管１４の下端に連通されるとともに、枝管１５ａはそのまま開口している。この実施形態の縦樋のオーバーフロー構造１はこのように構成されることで、平常時は縦樋８内を流下する水の飛沫が枝管１５ａ側に飛び散っても、枝管１５ａは上向きに折り曲げられているので、飛沫が外部に漏れる虞がない。
【００２５】
そして、例えば集中豪雨などにより縦樋８が連通する雨水枡９が冠水し、縦樋８から雨水枡９への排水が困難となった場合には、図６に示すように、縦樋８内の水位が上昇し、合わせ枡１３に達する。そして、合わせ枡１３の枝管１５ａの開口をよりも高い水位の水は、枝管１５ａを通って外部に溢れ出る。したがって、縦樋８内に貯留する水の水位はこの枝管１５ａよりも高くなることはないので、バルコニー２に水が溜まることを防ぐことができ、バルコニー２から図示しないサッシを通って屋内に水が浸入することを防止できる。
【００２６】
このように本実施形態は、上樋８１と下樋８２との連結に従来から製品化されている合わせ枡１３を用いることで、合わせ枡１３の枝管１５ａを縦樋のオーバーフロー構造１とすることができるので、新たに専用部品を製造することなく極めて簡単に縦樋のオーバーフロー構造１を形成することができる。
【００２７】
なお、本実施形態においては、合わせ枡１３を用いて縦樋のオーバーフロー構造１を形成したが、これに限定されるものではなく、例えば図７及び図８に示すように、Ｙ管１６を用いる構成としてもよい。Ｙ管１６は、図８に示すように、鉛直方向に延びる鉛直管１４と、この鉛直管１４の側面から上方に傾斜して突出する枝管１５ｂと、により構成されている。そして、縦樋のオーバーフロー構造１を構成するときには、上樋８１が鉛直管１４の上端に連通され、下樋８２は鉛直管１４の下端に連通されるとともに、枝管１５ｂはそのまま開口している。このように枝管１５ｂが上方に傾斜して突出することで、平常時は縦樋８内を流下する水の飛沫が枝管１５ｂ側に飛び散っても、飛沫が外部に漏れる虞がない。一方、雨水枡９が冠水したような場合には、縦樋８内の水位が上昇し、Ｙ管１６の枝管１５ｂの開口をよりも高い水位の水は、枝管１５ｂを通って外部に溢れ出るので、縦樋８内に貯留する水の水位はこの枝管１５ｂよりも高くなることはなく、バルコニー２に水が溜まることを防ぐことができ、バルコニー２から図示しないサッシを通って屋内に水が浸入することを防止できる。
【００２８】
〔第３の実施形態〕
次に、この発明における縦樋のオーバーフロー構造１の第３の実施形態について、図９から図１１を参照しつつ説明する。なお、第１の実施形態と同様の構成については、同一の符号を付して説明を省略する。本実施形態の縦樋のオーバーフロー構造１は、図９に示すように、ドレイン管６の屋外に突出する端部が、縦樋８の側面に形成されたバルコニー２からの排水を縦樋８内部に流入させる導入口１７に連通する。そして縦樋８は導入口１７よりもやや上方に突出して、バルコニー２の床面５の最も低い位置よりもやや下方位置に上端が配置され開口部１８を形成している。そして、図１０に示すように、この縦樋８の上端の開口部１８は、縦樋８内に枯葉やゴミなどの異物が侵入することを防ぐために例えば金属で形成された網部１９で覆われている。
【００２９】
平常時には、ドレイン管６から導入口１７を通って縦樋８内部に流入した水は、そのまま下方に流れるので、縦樋８の上端から水が漏れ出す虞はない。そして、例えば集中豪雨などにより縦樋８が連通する雨水枡９が冠水し、縦樋８から雨水枡９への排水が困難となった場合には、図１１に示すように、縦樋８内の水位が上昇して縦樋８の上端の開口部１８に達する。そして、更に流入する水は、縦樋８の上端から外部に溢れ出る。したがって、バルコニー２に水が溜まることを防ぐことができ、バルコニー２から図示しないサッシを通って屋内に水が浸入することを防止できる。
【００３０】
なお、本発明の実施の形態は上述の形態に限ることなく、本発明の思想の範囲を逸脱しない範囲で適宜変更することができることは云うまでもない。
【産業上の利用可能性】
【００３１】
本実施形態の縦樋のオーバーフロー構造１は、陸屋根やルーフバルコニー２等に水が貯留することを防ぐ縦樋のオーバーフロー構造１として好適に用いることができる。
【符号の説明】
【００３２】
１      縦樋のオーバーフロー構造
２      バルコニー
８      縦樋
１０    オーバーフロー口（オーバーフロー部）
１５ａ、１５ｂ  枝管（オーバーフロー部）
１７    導入部
１８    開口部（オーバーフロー部）
１９    網部
【図１】
2011089321.tif 000003
【図２】
2011089321.tif 000004
【図３】
2011089321.tif 000005
【図４】
2011089321.tif 000006
【図５】
2011089321.tif 000007
【図６】
2011089321.tif 000008
【図７】
2011089321.tif 000009
【図８】
2011089321.tif 000010
【図９】
2011089321.tif 000011
【図１０】
2011089321.tif 000012
【図１１】
2011089321.tif 000013